(57)【要約】【課題】装置の不正使用を防止できるカラー複写複合機を提供する。【解決手段】記録用紙、ドラム、トナーなどの消耗品の取り外しを検知するセンサ手段と、このセンサ手段１１ａ、１１ｂ、１１ｃに連動して作動される監視カメラ８と、この監視カメラ８で撮像された画像データを予め登録した通信端末装置に自動転送する制御手段１と、この制御手段１が画像データの転送を許容する時刻帯を設定する手段９とを備えている。【選択図】図１
2005142991.tif 000002
【特許請求の範囲】
【請求項１】
記録用紙、ドラム、トナーなどの消耗品の取り外しを検知するセンサ手段と、このセンサ手段に連動して作動される監視カメラと、この監視カメラで撮像された画像データを予め登録した通信端末装置に自動転送する制御手段と、この制御手段が画像データの転送を許容する時刻帯を設定する手段とを備えたカラー複写複合機。
【請求項２】
操作パネル近傍に設けた監視カメラと、印字ジョブの実行によって排出された記録紙の枚数を計数するカウンタ手段と、操作パネルの操作によって印字ジョブが実行されたときに、監視カメラを駆動させて、操作者を撮像するとともに、カウンタ手段で計数した排出記録紙の枚数が所定数を越えたときに、監視カメラで撮像した画像データを、予め登録した通信端末装置に自動転送する制御手段と、この制御手段が画像データの転送を許容する時刻帯を設定する手段とを備えたカラー複写複合機。
【請求項３】
請求項１、２のいずれかにおいて、
予め複写禁止画像を参照画像として記憶保存した画像処理手段を更に備えており、
上記制御手段は、ジョブが実行されたときには、上記画像処理手段を作動し、該画像処理手段が、読取走査部で読み取られた原稿画像を上記参照画像と近似していると判断した場合には、上記監視カメラで操作者を撮像し、撮像した操作者の撮像画像を予め登録した通信端末装置に自動転送する構成にしているカラー複写複合機。
【発明の詳細な説明】
【技術分野】
【０００１】
本発明は、操作者を撮像可能なカメラを備えた、あるいは接続したカラー複写複合機に関する。
【背景技術】
【０００２】
従来の複写機には、紙幣の複写を禁止するためパターンマッチングを行い、禁止画像と判断したときには複写動作をさせない構成としたものがある。
【０００３】
特許文献１には、パターンマッチングにより紙幣複写を禁止し、なおかつ操作者をカメラで撮像するようにした複写機技術が記載されている。
【特許文献１】特開２０００−１７５０３７号公報
【発明の開示】
【発明が解決しようとする課題】
【０００４】
しかしながら、この種の装置では、複写が禁じられた紙幣等の複写は未然に防止できるが、その他の不正使用や異常使用までをも防止することはできない。
【０００５】
その他の不正使用や異常使用には、未使用記録紙の抜き取りを目的としたカセット取り出し操作、トナーやドラムの抜き取りを目的とした取り外し操作、などの消耗品盗難防止目的のものがあるが、従来の装置では、このような不正操作を発見することはできない。
【０００６】
また、夜間等に大量のコピーを私的に利用した場合も、カウンタにより大量コピーされた事実のみは事後的に発見できるが、誰の仕業であるかまでを突き止めることはできない。
【０００７】
本発明は、このような問題を解決するために提案されたもので、その目的は、装置の不正使用を防止できるカラー複写複合機を提供することにある。
【課題を解決するための手段】
【０００８】
上記目的を達成するために、本発明者は以下に示すような解決手段を提案している。
【０００９】
請求項１に記載のカラー複写複合機は、記録用紙、ドラム、トナーなどの消耗品の取り外しを検知するセンサ手段と、このセンサ手段に連動して作動される監視カメラと、この監視カメラで撮像された画像データを予め登録した通信端末装置に自動転送する制御手段と、この制御手段が画像データの転送を許容する時刻帯を設定する手段とを備えている。
【００１０】
記録紙やドラム、トナーなどの消耗品は装置の下方に設置されているが、それらの近傍に監視カメラを設置すれば、中腰で作業している作業者の顔を撮像することができる。なお、カセット用とドラム、トナー用に別々のカメラを準備することが好ましい。
【００１１】
請求項２では、操作パネル近傍に設けた監視カメラと、印字ジョブの実行によって排出された記録紙の枚数を計数するカウンタ手段と、操作パネルの操作によって印字ジョブが実行されたときに、監視カメラを駆動させて、操作者を撮像するとともに、カウンタ手段で計数した排出記録紙の枚数が所定数を越えたときに、監視カメラで撮像した画像データを、予め登録した通信端末装置に自動転送する制御手段と、この制御手段が画像データの転送を許容する時刻帯を設定する手段とを備えている。
【００１２】
操作パネルやその近辺に操作者撮像用の監視カメラを設置すれば、複写やファクシミリ送信操作を行っている者を撮像することができる。
【００１３】
請求項３では、請求項１、２のいずれかにおいて、予め複写禁止画像を参照画像として記憶保存した画像処理手段を更に備えており、制御手段は、印字ジョブが実行されたときには、画像処理手段を作動し、該画像処理手段が読取走査部で読み取られた原稿画像を参照画像と近似していると判断した場合には、監視カメラで操作者を撮像し、撮像した操作者の撮像画像を予め登録した通信端末装置に自動転送する構成としている。
【発明の効果】
【００１４】
上記解決手段によれば、次のような効果が期待できる。
【００１５】
すなわち、請求項１に記載のカラー複写複合機は、記録紙や、ドラム、トナーなどの消耗品の取り出しや入れ替えを検知するタンパースイッチを備え、このスイッチ動作により、監視カメラで作業モードでの操作者を撮像し、撮像画像を予め登録した通信端末装置に自動転送する構成としているので、不正作業を実施している者を事後的に見つけ出すことができる。
【００１６】
また、カメラを搭載していることを装置本体等に表示しておけば、消耗品盗難の未然防止にもつながる。
【００１７】
請求項２では、操作者撮像用の監視カメラを備えており、印字した記録紙の枚数を計数して所定枚数の印字をしたときには、撮像画像を保存または転送しているので、不正な大量使用を行った者を見つけ出すことができる。
【００１８】
また、カメラを搭載していることを表示しておけば、大量コピーの未然防止にもつながる。
【００１９】
請求項３では、さらに、複写が禁止されているものを複写している者を、監視カメラで撮像し、転送する構成となっているので、ほぼ完全なかたちで不正を取り締まることができる。
【発明を実施するための最良の形態】
【００２０】
以下に、本発明を実施するための最良の形態について添付図面とともに説明する。
【実施例１】
【００２１】
図１は、本発明のカラー複写複合機の基本構成の一例を示したブロック図である。
【００２２】
図において、１はＣＰＵなどで構成され、以下の各部を制御する制御手段、２は通信回線へのネットワーク制御を行うＮＣＵ、３は画像データをファクシミリ通信するために信号の変調・復調を行うモデム、４は画像データを記憶する画像メモリ、５は制御プログラムなどを記憶しているＲＯＭ、６は可変データや設定データなどを記憶するＲＡＭ、７は原稿画像を読み取る画像読取部である。たとえばＲＡＭ６には、後述する複写禁止の参照画像などが保存されている。なお、ＣＰＵ１は、排出記録紙をカウントするカウンタ手段、複写禁止画像を検知する画像処理手段としても動作する。
【００２３】
また、８は３種のデジタルカメラを有した撮像部、９はテンキーや各種操作スイッチで構成された操作部、１０は液晶画面等の表示手段で構成された表示部である。１１は受信した原稿の画像データを印字出力する印字部であり、トナー、ドラム、記録紙用カセットなどの消耗品の取り出し、入れ替え動作を検知するセンサ手段（タンパースイッチ）１１ａ、１１ｂ、１１ｃを含んでいる。なお、操作部９は、後述する撮像画像転送の時間帯を設定するための時間帯設定手段を含んでいる。
【００２４】
また、１２はＬＡＮインターフェース部であり、ＬＡＮに接続したパソコンＰＣとの通信を可能としている。
【００２５】
このカラー複写複合機は、画像読取部７で読み取った画像データを順次符号化したのち、いったん画像メモリ４に蓄積し、モデム３、ＮＣＵ２を介して、相手先のファクシミリ装置（不図示）に対して送信する一方、画像データを受信すると、受信した画像データを画像メモリ４に蓄積し、順次読み出し復号して、印字部１１によって印字出力するファクシミリ送受信基本機能と、画像読取部７で読み取った画像データを印字部１１により記録紙に出力する複写機能と、パソコンＰＣから入力した画像データを記録紙に印字出力するプリンタ機能を有している。
【００２６】
図２は、装置に搭載された３種の監視カメラの設置箇所を示した装置の全体図である。
【００２７】
カメラ１は、操作部９である操作パネルに内蔵されており、複写やファクシミリ送信などを行う操作者を撮像できる位置に設置されている。また、カメラ２、３は、ドラム、トナーの近傍に内蔵されており、ドラム、トナーの取り出し、入れ替えを行っている作業者を撮像できる位置に設置されている。なお、これらのカメラは有線または無線の外付け接続でもよい。
【００２８】
本実施例では、撮像対象の位置により３つのカメラを設けているが、１つまたは２つのカメラで撮像するようにしてもよい。つまり、操作者と作業者のいずれをも撮像できるようなカメラを設けてもよい。
【００２９】
これらのカメラは、操作部９からのジョブのスタートキー操作、タンパースイッチ１１ａ、１１ｂ、１１ｃの検知により作動される。そして、制御手段１は、装置の不正使用または不正使用に準ずる使用であると判断した場合、操作者や作業者の撮像画像データを、パソコンや他のファクシミリ装置などの通信端末装置に自動転送し、または自装置内に保存するような装置構成となっている。
【００３０】
図３は、カラー複写複合機の概略動作を示したフローチャートである。
【００３１】
印字ジョブが開始、つまりスタートキーが操作されたときには、カメラ１を動作させるスタートキー処理（１００）を、トナーセンサ１１ａ、ドラムセンサ１１ｂがこれら消耗品の取り外しを検知したときには、カメラ２を連動させるトナー、ドラムセンサ作動処理（２００）を、記録紙用カセットセンサ１１ｃが取り外しを検知したときには、カメラ３を連動させるカセットセンサ作動処理（３００）を実行する。
【００３２】
これらのカメラ別の処理フローチャートを、図４および図５に示している。
【００３３】
図４は、スタートキー処理（１００）を示すフローチャートである。
【００３４】
この処理は、紙幣など複写が禁止された特定画像や大量枚数の複写、ファクシミリ送信を判別し、その操作者の撮像画像を他の通信端末装置へ転送するものである。
【００３５】
ここで、他装置には、このカラー複写複合機の管理者のパソコンＰＣや、その管理者が所属している部署のファクシミリ装置などが含まれ、予め設定されている。また、不正者を見つけ出すことが目的なので、撮像画像を自装置内の不正者リストとして保存する構成でもよい。
【００３６】
スタートキーが操作されると、まず、カメラ１で操作者を撮像し、この画像データを一時保存し、禁止画像複写と大量枚数複写をそれぞれ判別するためのフラグ１、フラグ２を初期化する（１０１〜１０３）。
【００３７】
次に、原稿を読み取り、読み取った画像に複写禁止画像が含まれていればフラグ１をオンし、読み取った画像の印字処理を実行する（１０４〜１０７）。この動作を原稿枚数分繰り返すが、印字出力した記録紙枚数が予め定めた枚数以上になったときにフラグ２をオンする（１０８〜１１０）。
【００３８】
なお、複写禁止画像の判断は、ＲＡＭ６に保存している、紙幣や有価証券などの全体または部分的な参照画像を使用して、パターンマッチングなどの方法で行えばよい。
【００３９】
読み取ったすべての原稿について印字が終了すれば、フラグ１、フラグ２を参照して、フラグ１がオンのときは、「複写禁止画像のコピー操作発見」などのメッセージと操作者の撮像画像を他装置に転送し、フラグ２がオンのときは、「大量コピー操作発見」などのメッセージと操作者の撮像画像を他装置に転送する（１１１〜１１５）。なお、大量コピーの場合は、設定された夜間などの時刻帯のときのみ転送するようにしている（１１４）。
【００４０】
なお、プライバシー保護の観点から、特に不正者ではない操作者の撮像画像データは削除することが好ましい。
【００４１】
また、禁止画像の複写を検知した場合は、アラームを出力し、印字出力を禁止してもよい。
【００４２】
図４の実施例では、フラグによって２種類の不正を最終的に判断して、転送しているが、それぞれの不正判断のつど、カメラ撮像と転送とを行うようにしてもよい。
【００４３】
以上のように、不正者の撮像画像が転送（または保存）される構成なので、不正が行われたあとでも確実に不正操作者を見つけ出すことができる。また、装置または装置近傍に、「不正操作者撮像カメラ搭載」などの表示をしておけば、不正コピーを未然に防止することもできる。
【００４４】
なお、大量複写については、時刻帯を判断しなくてもよいが、即不正とは断定できないので、人のいない休日、夜間などの設定された時刻帯に限定して検出するほうが望ましい。
【００４５】
図５（ａ）、（ｂ）は、トナー、ドラムセンサ作動処理（２００）、カセットセンサ作動処理（３００）を示すフローチャートである。
【００４６】
（ａ）、（ｂ）いずれも、相当するカメラ（カメラ２、カメラ３）で作業者を撮像し、画像データを一時保存し、「トナー、ドラム取り出し操作発見」、「カセット取り出し操作発見」などのメッセージとともに、作業者の撮像画像を転送、保存する（２０１〜２０４、３０１〜３０４）。
【００４７】
なお、これらのカメラ撮像についても、即不正とは断定できないので、人のいない休日、夜間などの設定された時刻帯に限定して検出するほうが望ましい（２０２、３０２）。
【００４８】
このように、不正者の撮像画像は転送（または保存）されるので、不正が行われたあとでも確実に不正作業者を見つけ出すことができる。また、装置または装置近傍に、「不正作業者撮像カメラ搭載」などの表示をしておけば、消耗品盗難を未然に防止することもできる。
【００４９】
また、本実施例のカラー複写複合機は、複写禁止画像コピーと大量枚数コピーに対応した操作者撮像用のカメラ１と、トナー、ドラム作業者撮像用のカメラ２と、カセット作業者撮像用のカメラ３とをすべて含んだ構成となっているので、ほぼ完全なかたちで不正を取り締まることができる。
【図面の簡単な説明】
【００５０】
【図１】本発明のカラー複写複合機の基本構成の一例を示したブロック図である。
【図２】装置に搭載された複数のカメラの設置箇所を示した装置の全体図を示している。
【図３】本発明のカラー複写複合機の概略動作を示したフローチャートである。
【図４】スタートキー処理（カメラ１撮像）を示すフローチャートである。
【図５】（ａ）はトナー、ドラムセンサ作動処理（カメラ２撮像）、カセットセンサ作動処理（カメラ３撮像）を示すフローチャートである。
【符号の説明】
【００５１】
１      ＣＰＵ（制御手段、カウンタ手段、画像処理手段）
６      ＲＡＭ
７      画像読取部
８      撮像部（監視カメラ）
９      操作部（時刻帯設定手段）
１１      印字部
１１ａ      トナーセンサ（センサ手段）
１１ｂ      ドラムセンサ（センサ手段）
１１ｃ      カセットセンサ（センサ手段）
１２      ＬＡＮインターフェース部
ＰＣ      パソコン
【図１】
2005142991.tif 000003
【図２】
2005142991.tif 000004
【図３】
2005142991.tif 000005
【図４】
2005142991.tif 000006
【図５】
2005142991.tif 000007